(57)【要約】【課題】特殊な電線を使用することなく、ネズミ等の小動物が電気機器エンクロージャの筐体内に侵入することを防止する。【解決手段】電気機器エンクロージャ内に、小動物が嫌忌する濃度以上で人体や内部設置機器に有害な濃度未満のオゾンを連続的に、または断続的に放出するオゾン発生器３を備えた電気機器エンクロージャ用オゾン発生装置。ネズミが忌避する濃度以上で人体に無害な濃度、また電気機器エンクロージャ内の機器、電線が腐食する濃度未満の濃度で、オゾンを連続的に放出する。オゾンは自然消滅するので、一定時間後は濃度の上昇がなく、機器への損傷を与えることはない。電気機器エンクロージャの筐体の大きさに合わせてオゾンの放出濃度を設定することで、目的を達成することができる。【選択図】　　　　　図１
2004049222.tif 000002
【特許請求の範囲】
【請求項１】
電気機器エンクロージャ内に、小動物が嫌忌する濃度以上で人体や内部設置機器に有害な濃度未満のオゾンを連続的に放出するオゾン発生器を備えたことを特徴とする電気機器エンクロージャ用オゾン発生装置。
【請求項２】
電気機器エンクロージャ内に取り付けられ、その電気機器エンクロージャ内にオゾンを放出するオゾン発生器を有するオゾン発生装置であって、前記オゾン発生器に、所定濃度以上にならないようにオゾン発生を制御するオゾン濃度制御手段を備えたことを特徴とする電気機器エンクロージャ用オゾン発生装置。
【請求項３】
前記オゾン濃度制御手段は、一定時間毎にオゾン発生と停止を繰り返すタイマーである請求項２記載の電気機器エンクロージャ用オゾン発生装置。
【発明の詳細な説明】
【０００１】
【発明の属する技術分野】
電気制御盤、配電盤等の電気機器エンクロージャにおいて、ネズミ等の小動物により電線をかじられる被害を防止する装置に関する。
【０００２】
【従来の技術】
電気制御盤、配電盤等の電気機器エンクロージャにおいては、外部から引き込まれた電線が内部に設置された開閉器や制御機器等に配線されている。エンクロージャ自体は閉鎖しているが、床に設けた配線用の穴やダクトからネズミが侵入し、電線の被覆をかじるため、電線の心線が短絡や地絡して、停電事故が発生することがある。特に、ネズミが繁殖しやすい飼料工場等ではそのような事故が多発している。
【０００３】
電気機器エンクロージャのネズミ被害防止対策としては、次のような方法がある。
（１）電気機器エンクロージャの電線の配管穴等に粘土等を詰めてネズミの侵入を防止する。
（２）電線の被覆にネズミの忌避する物質を混合する（例えば、特許文献１〜８参照）。
（３）超音波発生器により、ネズミの忌避する音波を発生する（例えば、特許文献９参照）。
【０００４】
【特許文献１】
特開平６−２１３５５８号公報
【特許文献２】
特開平８−３３４４５号公報
【特許文献３】
特開平９−８２１４２号公報
【特許文献４】
特開平９−１２９０３４号公報
【特許文献５】
特開平９−２０４８２１号公報
【特許文献６】
特開平９−２１３１３８号公報
【特許文献７】
特開平１１−１１１０７２号公報
【特許文献８】
特開２０００−３４８５４２号公報
【特許文献９】
特開平９−１０４６００号公報
【０００５】
【発明が解決しようとする課題】
しかしながら、前記（１）の方法では、粘土をネズミにかじられ、制御盤内へのネズミの侵入を許している。したがって、ほとんど効果がない。また（２）の方法では、電線の価格が高く、あまり普及していない。さらに（３）の方法では、ノイズ発生による被害が無視できない。
【０００６】
そこで本発明が解決しようとする課題は、特殊な電線を使用することなく、ネズミ等の小動物が電気機器エンクロージャの筐体内に侵入することを防止することにある。
【０００７】
【課題を解決するための手段】
前記課題を解決するため、本発明の第１の構成に係る電気機器エンクロージャ用オゾン発生装置は、電気機器エンクロージャ内に、小動物が嫌忌する濃度以上で人体や内部設置機器に有害な濃度未満のオゾンを連続的に放出するオゾン発生器を備えたものである。
また、本発明の第２の構成は、電気機器エンクロージャ内に取り付けられ、その電気機器エンクロージャ内にオゾンを放出するオゾン発生器を有するオゾン発生装置であって、前記オゾン発生器に、所定濃度以上にならないようにオゾン発生を制御するオゾン濃度制御手段を備えたものである。
【０００８】
オゾンガスは、殺菌、脱臭を目的として広く使用されているが、殺菌のためには高濃度、長時間のオゾン雰囲気が必要であり、人体にも有害である。しかし、本発明においては、ネズミを殺すのではなく極く微量のオゾンガスで忌避させることを目的としている。
【０００９】
すなわち、オゾンには独特の臭気があり、その臭気は０．０１〜０．０２ｐｐｍの濃度で人間に知覚される。ネズミは、それよりも低い濃度でも忌避行動を起こすことが知られている。人間に対しては、０．１ｐｐｍ以下であれば無害とされている。
【００１０】
一方、電気機器エンクロージャ内の機器、電線は、長時間オゾン雰囲気に曝されると、オゾンの酸化作用により腐食するおそれがある。
【００１１】
そこで、本発明の第１の構成においては、ネズミが忌避する濃度以上で人体に無害な濃度、また電気機器エンクロージャ内の機器、電線が腐食する濃度未満の濃度で、オゾンを連続的に放出する。オゾンは自然消滅するので、一定時間後は濃度の上昇がなく、機器への損傷を与えることはない。電気機器エンクロージャの筐体の大きさに合わせてオゾンの放出濃度を設定することで、目的を達成することができる。
また、本発明の第２の構成においては、電気機器エンクロージャ内にオゾン発生器を設け、そのオゾン発生器に、所定濃度以上にならないようにオゾン発生を制御するオゾン濃度制御手段を備えてオゾン濃度の調整を行う。オゾンは反応性が高く、所定時間を経過すると無害の酸素に戻るので、オゾン発生と自然消滅を繰り返すことで、所定の濃度以上にならない。
【００１２】
前記オゾン濃度制御手段は、一定時間毎にオゾン発生と停止を繰り返すタイマーで構成することができる。
タイマーは、オゾン発生器をオンするタイミングと、オゾン発生器がオンしてから所定時間後にオフするタイミングとを与える。
【００１３】
【発明の実施の形態】
以下、本発明の実施の形態について図面を用いて説明する。
（第１実施形態）
図１は本発明の第１実施形態に係るオゾン発生装置の外観図であり、（ａ）は正面図、（ｂ）は左側面図、（ｃ）は右側面図である。また図２は第１実施形態の電気系統の構成を示すブロック図である。
【００１４】
これらの図に示すように、オゾン発生装置の外部カバー１内には、軸流ファン２、オゾン発生器３が内蔵され、一方には吸気口４、他方にはオゾン吐き出し口５が設けられている。また、外部カバー１の正面には、オゾン発生器３のオン・オフスイッチ６、赤色の電源表示灯８、緑色の運転表示灯９が取り付けられている。電気系統としては、変圧器およびオゾン発生器の放電により発生するノイズを低減するコイル１０およびノイズキラー１１、オゾン発生器３を作動させるための高電圧を発生する変圧器１２、過電流から電気部品を保護するヒューズ１３が設けられている。オゾン発生器３としては、無声放電方式のものを用いることができる。
【００１５】
以上の構成のオゾン発生装置を、電気機器エンクロージャの内部に設置する。オゾンは空気よりも重いため、電気機器エンクロージャ内の上部に取り付けることで、オゾン発生装置から発生したオゾンを電気機器エンクロージャ内に充満させ、特にネズミが侵入してくる配線用の穴やダクト穴が設けられている電気機器エンクロージャの底部に下降するようにする。
【００１６】
オゾン発生装置に１００Ｖの電源を接続し、オゾン発生器３を作動させる。オゾン発生器３から発生するオゾンの濃度は、電気機器エンクロージャの容積に合わせて、ネズミの忌避効果が十分現れ、人体への影響や電気機器の金属、配線の腐食がない濃度とする。
【００１７】
なお、電気機器エンクロージャの扉が作業中や点検中に開いているときは、オゾン発生装置の電源がオフになるようにしてもよい。
オゾン発生器３から発生したオゾンガスは、一時的に電気機器エンクロージャ内に充満するが、一定時間が経過すると空気中で自然消滅していき、一定濃度に保たれる。
【００１８】
このように、オゾンガスが所定の濃度範囲で維持されることにより、ネズミは忌避行動を起こす。濃度が必要以上に高くならないので、人体への影響や、筐体内部の金属、電線の腐食はない。
（第２実施形態）
図３は本発明の第２実施形態に係るオゾン発生装置の外観図であり、（ａ）は正面図、（ｂ）は左側面図、（ｃ）は右側面図である。また図４は第２実施形態の電気系統の構成を示すブロック図である。
【００１９】
この第２実施形態においては、第１実施形態に、オゾン発生器をオンオフ作動させるタイマー７を設けたことを特徴としている。その他の構成は、第１実施形態と同様であるので、同一の符号を付して説明を省略する。
【００２０】
以上の構成において、オゾン発生装置に１００Ｖの電源を接続し、電気機器エンクロージャの容積に合わせて、タイマー７の時間をセットする。セットする時間は、何時間おきにオゾン発生器３をオンするかと、オゾン発生器３のオン時間を何分にするかである。オン時間は、ネズミの忌避効果が十分現れ、人体への影響や電気機器の金属、配線の腐食がない濃度に達する時間である。オフ時間は、オゾンが自然消滅してネズミの忌避効果が低下してしまわないまでの時間とする。
【００２１】
なお、電気機器エンクロージャの扉が作業中や点検中に開いているときは、オゾン発生装置の電源がオフになるようにしてもよい。
以上により、オゾン発生器３は所定時間毎にオン・オフを繰り返す。
【００２２】
オゾン発生器３から発生したオゾンガスは、一時的に電気機器エンクロージャ内に充満するが、停止時間中に消滅していく。所定時間経過後にまたオゾンガスが発生する。
【００２３】
このように、オゾンガスが所定の濃度範囲で発生と消滅を繰り返し、これによりネズミは忌避行動を起こす。濃度が必要以上に高くならないので、人体への影響や、筐体内部の金属、電線の腐食はない。
【００２４】
【発明の効果】
本発明によれば、オゾン発生装置を使用することにより、ネズミが侵入可能な電気機器エンクロージャの隙間、穴等にもオゾンガスが充満するため、ネズミの侵入を防止できる。
【００２５】
低濃度でオゾンを連続的に発生するか、またはオゾンの発生および消滅を繰り返すことで、人体には影響がなく、筐体や電線の腐食も防止できる。
【図面の簡単な説明】
【図１】本発明の第１実施形態に係るオゾン発生装置の外観図であり、（ａ）は正面図、（ｂ）は左側面図、（ｃ）は右側面図である。
【図２】第１実施形態における電気系統の構成を示すブロック図である。
【図３】本発明の第２実施形態に係るオゾン発生装置の外観図であり、（ａ）は正面図、（ｂ）は左側面図、（ｃ）は右側面図である。
【図４】第２実施形態における電気系統の構成を示すブロック図である。
【符号の説明】
１　外部カバー
２　軸流ファン
３　オゾン発生器
４　吸気口
５　オゾン吐き出し口
６　オン・オフスイッチ
７　タイマー
８　電源表示灯（赤色）
９　運転表示灯（緑色）
１０　コイル
１１　ノイズキラー
１２　変圧器
１３　ヒューズ
【図１】
2004049222.tif 000003
【図２】
2004049222.tif 000004
【図３】
2004049222.tif 000005
【図４】
2004049222.tif 000006